(57)【特許請求の範囲】
【請求項１】
建物の天井に設けられる開口部に吊持具を用いて取り付けられる矩形状の外枠と、この外枠内に開閉自在に取り付けられる内枠と、この内枠の内方側に配設されるパネル体とを具備する天井点検口において、
上記外枠は、この外枠の側壁部に穿設される鉛直方向に延びるスリットと、側壁部の頂部から折曲するフランジ部とを備え、
上記吊持具は、１本の線状ばね部材が曲げ加工されて形成されており、線状ばね部材の両端部に鉤状に形成されて上記天井の下地材上に載置される取付部材の上面に当接係合する吊持部と、この吊持部の基端側から下方に延在する鉛直部と、上記外枠のフランジ部に係合する左右一対の係合肩部と、この係合肩部と上記鉛直部の下端側に連結されると共に、上記吊持部と係合肩部との間に弾発力を促す変形腕部とを備え、
上記吊持具の吊持部及び鉛直部を上記外枠のスリットに挿通させて吊持部を上記取付部材の上面に当接係合させた状態で、上記変形腕部を変形させつつ上記係合肩部を外枠のフランジ部に係合させて、外枠を上記開口部に固定してなる、ことを特徴とする天井点検口における外枠の取付構造。
【請求項２】
請求項１記載の天井点検口における外枠の取付構造において、
上記左右一対の変形腕部は、係合肩部に連結する上方部の下端と、鉛直部の下端側に連結する下方部とを連結する連結支点部が、それぞれ上記係合肩部より左右外方の互いに離間する位置に設けられている、ことを特徴とする天井点検口における外枠の取付構造。
【請求項３】
請求項１又は２記載の天井点検口における外枠の取付構造において、
上記吊持部は、先端に向かって下り傾斜状に形成されている、ことを特徴とする天井点検口における外枠の取付構造。
【請求項４】
請求項１ないし３のいずれかに記載の天井点検口における外枠の取付構造において、
上記鉛直部と変形腕部を連結する下部連結部が、鉛直部側に向かって上り傾斜状に形成されている、ことを特徴とする天井点検口における外枠の取付構造。
【請求項５】
請求項１ないし４のいずれかに記載の天井点検口における外枠の取付構造において、
上記左右の吊持部は、高さに差が設けられている、ことを特徴とする天井点検口における外枠の取付構造。
【請求項６】
請求項１ないし５のいずれかに記載の天井点検口における外枠の取付構造において、
上記左右の係合肩部を連結する上部連結部の中間部位に、外枠側と反対側に突出する押し代用の折曲部を形成してなる、ことを特徴とする天井点検口における外枠の取付構造。
【発明の詳細な説明】
【技術分野】
【０００１】
この発明は天井点検口における外枠の取付構造に関するものである。
【背景技術】
【０００２】
一般に、この種の天井点検口は、建物の天井に設けられる開口部に取り付けられる矩形状の外枠と、この外枠内に開閉自在に取り付けられる内枠と、この内枠の内方側に配設されるパネル体とで主に構成されている。この天井点検口を取り付けるには、天井に設けられた開口部に、取付金具を用いて外枠を取り付ける方法が知られている（例えば、特許文献1参照）。
【０００３】
上記取付金具を用いて外枠を取り付ける構造においては、図７に示すように、取付金具ａは、直立板部ｂの頂部を庇状に折曲して頂板部ｃに形成し、直立板部ｂの下端と頂板部ｃの中間に、外枠ｄの上下嵌合溝ｅ，ｆに嵌合できる突板状の係止部ｇ，ｈを設け、庇状の頂板部ｃの先端部分にハンガーボルトｉを上下方向に螺装してなる。
【０００４】
このように構成される取付金具ａを用いて外枠ｄを取り付けるには、外枠ａの底板部ｄ1の上面を天井パネルＡに添わせて天井開口部Ｄに嵌め込むと共に、天井パネルＡを止めている野縁材Ｂ又は野縁材Ｂに固定した取付用チャンネルＣにハンガーボルトｉの先端を当接してハンガーボルトｉと外枠ｄの底板部ｄ1とで天井開口部周囲を挟持して外枠ｄを天井開口部Ｄに固定し、パネル板ｊを装着した内枠ｋを開閉扉として天井点検口を形成することができる。
【特許文献１】特開２０００−１２０２５９号公報（特許請求の範囲、段落番号００１６，００２３、図２）
【発明の開示】
【発明が解決しようとする課題】
【０００５】
しかしながら、特開２０００−１２０２５９号公報に記載の構造においては、構成部材が多い上、ハンガーボルトによる高さ調整を行って天井及び天井点検口の仕上げ面を合わせるようにしているため、取付後の調整等が面倒であるという問題があった。
【０００６】
この発明は、上記事情に鑑みてなされたもので、構成部材の削減を図ると共に、取付を容易にし、かつ、強度の向上を図れるようにした天井点検口における外枠の取付構造を提供することを課題とするものである。
【課題を解決するための手段】
【０００７】
上記課題を解決するために、この発明の天井点検口における外枠の取付構造は、建物の天井に設けられる開口部に吊持具を用いて取り付けられる矩形状の外枠と、この外枠内に開閉自在に取り付けられる内枠と、この内枠の内方側に配設されるパネル体とを具備する天井点検口において、  上記外枠は、この外枠の側壁部に穿設される鉛直方向に延びるスリットと、側壁部の頂部から折曲するフランジ部とを備え、  上記吊持具は、１本の線状ばね部材が曲げ加工されて形成されており、線状ばね部材の両端部に鉤状に形成されて上記天井の下地材上に載置される取付部材の上面に当接係合する吊持部と、この吊持部の基端側から下方に延在する鉛直部と、上記外枠のフランジ部に係合する左右一対の係合肩部と、この係合肩部と上記鉛直部の下端側に連結されると共に、上記吊持部と係合肩部との間に弾発力を促す変形腕部とを備え、  上記吊持具の吊持部及び鉛直部を上記外枠のスリットに挿通させて吊持部を上記取付部材の上面に当接係合させた状態で、上記変形腕部を変形させつつ上記係合肩部を外枠のフランジ部に係合させて、外枠を上記開口部に固定してなる、ことを特徴とする（請求項１）。
【０００８】
この発明において、上記左右一対の変形腕部を、係合肩部に連結する上方部の下端と、鉛直部の下端側に連結する下方部とを連結する連結支点部が、それぞれ上記係合肩部より左右外方の互いに離間する位置に設ける方が好ましい（請求項２）。
【０００９】
また、上記吊持部を、先端に向かって下り傾斜状に形成する方が好ましい（請求項３）。
【００１０】
また、上記鉛直部と変形腕部を連結する下部連結部を、鉛直部側に向かって上り傾斜状に形成する方が好ましい（請求項４）。
【００１１】
また、上記左右の吊持部の高さに差を設ける方が好ましい（請求項５）。
【００１２】
加えて、上記左右の係合肩部を連結する上部連結部の中間部位に、外枠側と反対側に突出する押し代用の折曲部を形成する方が好ましい（請求項６）。
【発明の効果】
【００１３】
この発明の天井点検口における外枠の取付構造は、上記のように構成されているので、以下のような効果が得られる。
【００１４】
（１）請求項１記載の発明によれば、外枠は、この外枠の側壁部に穿設される鉛直方向に延びるスリットと、側壁部の頂部から折曲するフランジ部とを備え、この外枠を取り付ける吊持具は、１本の線状ばね部材が曲げ加工されて形成されており、線状ばね部材の両端部に鉤状に形成されて天井の下地材上に載置される取付部材の上面に当接係合する吊持部と、この吊持部の基端側から下方に延在する鉛直部と、外枠のフランジ部に係合する左右一対の係合肩部と、この係合肩部と鉛直部の下端側に連結されると共に、吊持部と係合肩部との間に弾発力を促す変形腕部とを備えるので、吊持具の吊持部及び鉛直部を外枠のスリットに挿通させて吊持部を野縁の上面に当接係合させた状態で、外枠を仮止めすることができる。そして、この仮止め状態で、変形腕部を変形させつつ係合肩部を外枠のフランジ部に係合させて、外枠を開口部に固定することができる。したがって、構成部材の削減が図れると共に、容易かつ確実に外枠を天井の開口部に固定することができる。
【００１５】
また、鉛直部はスリットによって拘束された状態で、変形腕部の変形によって吊持部と係合肩部との間に弾発力を促すことができるので、天井パネルの厚さや野縁の高さに対応して外枠を開口部に固定することができる。
【００１６】
（２）請求項２記載の発明によれば、左右一対の変形腕部を、係合肩部に連結する上方部の下端と、鉛直部の下端側に連結する下方部とを連結する連結支点部が、それぞれ係合肩部より左右外方の互いに離間する位置に設けられるので、上記（１）に加えて、更に変形腕部を変形する際のモーメントを大きくして、変形を容易にすると共に、吊持具に強度をもたせることができる。
【００１７】
（３）請求項３記載の発明によれば、吊持部を、先端に向かって下り傾斜状に形成することにより、吊持部が撓んでも確実に先端部を取付部材の上面に当接係合することができるので、上記（１），（２）に加えて、更に確実に外枠を吊持固定することができる。
【００１８】
（４）請求項４記載の発明によれば、鉛直部と変形腕部を連結する下部連結部を、鉛直部側に向かって上り傾斜状に形成することにより、吊持具を弾性変形して係合肩部を外枠のフランジ部に係合させる際に、吊持具が天井パネルの縁部に干渉するのを回避することができる。したがって、上記（１）〜（３）に加えて、更に確実に外枠を吊持固定することができる。
【００１９】
（５）請求項５記載の発明によれば、左右の吊持部の高さに差を設けることにより、吊持具を弾性変形して係合肩部を外枠のフランジ部に係合させる際に、両鉛直部が交差状に変位して互いに干渉するのを防止することができる。したがって、上記（１）〜（４）に加えて、更に吊持具の変形を容易にすることができると共に、確実に外枠を吊持固定することができる。
【００２０】
（６）請求項６記載の発明によれば、左右の係合肩部を連結する上部連結部の中間部位に、外枠側と反対側に突出する押し代用の折曲部を形成することにより、折曲部を外枠側に押し付けて係合肩部を外枠のフランジ部に簡単に係合させることができる。したがって、上記（１）〜（５）に加えて、更に外枠の取付作業を容易かつ確実にすることができる。
【発明を実施するための最良の形態】
【００２１】
以下に、この発明の最良の実施形態を添付図面に基づいて詳細に説明する。
【００２２】
図１は、この発明に係る外枠の取付構造を適用した天井点検口の取付部の要部を示す平面図（ａ）、（ａ）のＩ−Ｉ線に沿う断面図（ｂ）及び（ｂ）のII−II矢視図（ｃ）である。
【００２３】
上記天井点検口は、図１に示すように、建物の天井１に設けられる開口部２に吊持具１０を用いて取り付けられる矩形状の外枠３と、この外枠３内に開閉自在に取り付けられる内枠４と、この内枠４の内方側に配設されるパネル体５とを具備している。なお、天井１は、格子状に枠組みされる下地材である野縁１ｃと、野縁１ｃによって取り付けられる天井パネル１ｂとで構成されている。天井１の一部に設けられる開口部２における対向する辺側の野縁１ｃ上に、外枠３の一辺より若干長い寸法のチャンネル状の取付部材１ａが載置され、これら取付部材１ａに吊持金具１０を用いて外枠３が取り付けられている。
【００２４】
この場合、上記外枠３は、図１及び図３に示すように、対向する側壁部６の適宜箇所例えば一辺の側壁部６の左右２箇所に穿設される鉛直方向に延びるスリット７と、側壁部６の頂部から外枠３の内方側に略横Ｌ字状に折曲するフランジ部８とを備えている。また、外枠３は、側壁部６の下端から外枠３の内外方向に延在する水平片９を備えている。このように構成される外枠３は、例えばアルミニウム合金製の押出形材にて形成される４本の外枠部材３ａを矩形状に組み付け、その隅角部をコーナ金具（図示せず）によって連結してなる。
【００２５】
一方、上記吊持具１０は、図１ないし図３に示すように、１本の線状ばね部材が曲げ加工されて形成されており、線状ばね部材の両端部に鉤状に形成されて天井１の野縁１ｃに載置される上記取付部材１ａの上面に当接係合する吊持部１１と、この吊持部１１の基端側から下方に延在する鉛直部１２と、外枠３のフランジ部８に係合する左右一対の係合肩部１３と、この係合肩部１３と鉛直部１２の下端側に連結されると共に、吊持部１１と係合肩部１３との間に弾発力を促す変形腕部１４とを備えている。
【００２６】
また、左右一対の変形腕部１４は、係合肩部１３に連結する上方部１４ａの下端と、鉛直部１２の下端側に連結する下方部１４ｂとを連結する連結支点部１４ｃが、それぞれ係合肩部１３より左右外方の互いに離間する位置に設けられている。このように係合肩部１３に連結する上方部１４ａの下端と、鉛直部１２の下端側に連結する下方部１４ｂとを連結する連結支点部１４ｃを、係合肩部１３より左右外方の互いに離間する位置に設けることにより、変形腕部１４を変形する際のモーメントを大きくして、変形を容易にすると共に、吊持具１０に強度をもたせることができる。
【００２７】
また、上記吊持部１１は、先端に向かって下り傾斜状、例えば鉛直線に対して２５°に形成されており、吊持部１１が撓んでも確実に先端部を取付部材１ａの上面に当接係合し得るようになっている。
【００２８】
また、上記鉛直部１２と変形腕部１４を連結する下部連結部１５が、鉛直部１２側に向かって上り傾斜状、例えば鉛直線に対して４５°に形成されており、吊持具１０を弾性変形して係合肩部１３を外枠３のフランジ部８に係合させる際に、吊持具１０が天井パネル１ｂの縁部に干渉するのを回避できるようになっている。
【００２９】
また、図２（ｃ）に示すように、上記左右の吊持部１１は、高さに差αが設けられている。このように左右の吊持部１１の高さに差αを設けることにより、吊持具１０を弾性変形して係合肩部１３を外枠３のフランジ部８に係合させる際に、両鉛直部１２が交差状に変位して互いに干渉するのを防止することができるので、吊持具１０の変形を容易にすることができると共に、確実に外枠３を吊持固定することができる。
【００３０】
更にまた、上記左右の係合肩部１３を連結する上部連結部１６の中間部位には、外枠３側と反対側に略へ字状に突出する押し代用の折曲部１７が形成されている。このように左右の係合肩部１３を連結する上部連結部１６の中間部位に、外枠３側と反対側に突出する押し代用の折曲部１７を形成することにより、折曲部１７を外枠３側に押し付けて係合肩部１３を外枠３のフランジ部８に簡単に係合させることができる。したがって、外枠３の取付作業を容易かつ確実にすることができる。
【００３１】
次に、外枠３の取付手順を図４ないし図６を参照して説明する。
【００３２】
まず、図４に示すように、吊持具１０の吊持部１１及び鉛直部１２を、外枠３に設けられたスリット７に挿通させる。
【００３３】
次に、図５に示すように、吊持部１１を天井１の野縁１ｃ上に載置された取付部材１ａの上面に当接係合させた状態で、外枠３を仮止めする。この際、外枠３の対向する２辺のうちの一方の側壁部６に設けられた２個のスリット７に吊持具１０の吊持部１１及び鉛直部１２を挿通させて、吊持部１１を取付部材１ａの上面に当接係合した状態で、他方の側壁部６に設けられた２個のスリット７に吊持具１０の吊持部１１及び鉛直部１２を挿通させて、吊持部１１を取付部材１ａの上面に当接係合させて外枠３を仮止めする。したがって、作業者は、従来の取付金具を用いる場合のように外枠３を水平状態に支えながら作業する必要がなく、簡単に外枠３を仮止めすることができる。
【００３４】
上記のようにして外枠３を仮止めした状態で、図５に示すように、変形腕部１４の上方部１４ａと下方部１４ｂを近接方向に変形させつつ係合肩部１３を外枠３のフランジ部８に係合させた後、変形腕部１４の上方部１４ａと下方部１４ｂの近接方向の押圧を解除すると、変形腕部１４の弾発力によって外枠３が開口部２に固定される。この際、押し代用の折曲部１７を外枠３側に押し付ければ、係合肩部１３を外枠３のフランジ部８に簡単に係合させることができる。
【００３５】
また、鉛直部１２はスリット７によって拘束された状態で、変形腕部１４の変形によって吊持部１１と係合肩部１３との間に弾発力を促すことができるので、天井パネル１ｂの厚さや野縁１ｃ及び取付部材１ａの高さに対応して外枠３を開口部２に確実に固定することができる。
【図面の簡単な説明】
【００３６】
【図１】この発明に係る外枠の取付構造を適用した天井点検口の取付部の要部を示す平面図（ａ）、（ａ）のＩ−Ｉ線に沿う断面図（ｂ）及び（ｂ）のII−II矢視図（ｃ）である。
【図２】この発明における吊持具の平面図（ａ）、正面図（ｂ）及び側面図（ｃ）である。
【図３】この発明における吊持具と外枠を示す斜視図である。
【図４】上記外枠のスリットに上記吊持具を挿通させて開口部に取り付ける状態を示す斜視図である。
【図５】上記外枠の仮止め状態を示す斜視図である。
【図６】上記外枠の取付状態を示す斜視図である。
【図７】従来の天井点検口の取付状態を示す断面図である。
【符号の説明】
【００３７】
１  天井
１ａ  取付部材
１ｂ  天井パネル
１ｃ  野縁（天井下地材）
２  開口部
３  外枠
４  内枠
５  パネル体
６  側壁部
７  スリット
８  フランジ部
１０  吊持具
１１  吊持部
１２  鉛直部
１３  係合肩部
１４  変形腕部
１４ａ  上方部
１４ｂ  下方部
１４ｃ  連結支点部
１５  下部連結部
１６  上部連結部
１７  押し代用折曲部
【図１】
0004646786.tif 000002
【図２】
0004646786.tif 000003
【図３】
0004646786.tif 000004
【図４】
0004646786.tif 000005
【図５】
0004646786.tif 000006
【図６】
0004646786.tif 000007
【図７】
0004646786.tif 000008